(57)【要約】【課題】水栓の操作レバーに付着した水滴が水栓本体側に流れ、それが水栓本体に付着したり、水栓本体を伝って基部側に流れ落ちたりすることを防止する。【解決手段】レバーカバー１は洗面台２に設置された水栓３に取り付けられ、吐水管カバー５や水はね防止具４と共に使用される。レバーカバー１は、カバー本体２１とフランジ部２２とを有する。カバー本体２１内には装着部２３ａ,２３ｂが形成されている。装着部２３ａには開口部２４と嵌合挿入部２５が、装着部２３ｂには嵌合挿入孔２６が設けられている。レバーカバー１の上面２７には斜面部２８が形成されている。レバーカバー１に付着した水滴は外周部２７ａや先端部２７ｂから流れ落ちる。上面２７に水滴が付着した状態で操作レバー１３を持ち上げると水滴はフランジ部２２に当たり、上面２７の傾斜に沿って外周部２７ａへと流れる。【選択図】図２
2015113620.tif 000002
【特許請求の範囲】
【請求項１】
水栓の操作レバーに装着されるカバー部材であって、
前記操作レバーに該操作レバーを上方から覆うように取り付けられ、その内側部分に前記操作レバーが挿入されるレバー装着部を備えるカバー本体と、
前記カバー本体の端部に設けられ、該カバー本体を前記操作レバーに取り付けたとき、該操作レバーの基部側に配置されるフランジ部と、を有することを特徴とする水栓操作レバー用カバー部材。
【請求項２】
請求項１記載の水栓操作レバー用カバー部材において、
前記フランジ部は、前記操作レバーが最大限持ち上げられたときも、該フランジ部の先端部が基部よりも上に位置するように、該フランジ部の傾斜角θＦが前記操作レバーの最大操作角度θＬmaxよりも大きい（θＦ＞θＬmax）ことを特徴とする水栓操作レバー用カバー部材。
【請求項３】
請求項１又は２に記載の水栓操作レバー用カバー部材において、
前記カバー本体の上面は、当該カバー部材を前記操作レバー上に装着したとき、該カバー本体の中心部から外周部に向かって下り勾配となる斜面部を有することを特徴とする水栓操作レバー用カバー部材。
【請求項４】
請求項１〜３の何れか１項に記載の水栓操作レバー用カバー部材において、
前記カバー本体は、
当該カバー部材を前記操作レバー上に装着するための開口部と、
該開口部に隣接して配置され、当該カバー部材を前記開口部に挿入したとき、前記操作レバーの先端側に位置し、該操作レバーの先端部が挿入される挿入部と、を有することを特徴とする水栓操作レバー用カバー部材。
【請求項５】
請求項４記載の水栓操作レバー用カバー部材において、
前記カバー本体は、
前記開口部と前記挿入部を有する第１装着部と、
前記第１装着部よりも該カバー本体の先端側に設けられ、前記操作レバーの先端部が挿入される挿入孔を備えた第２装着部と、を有することを特徴とする水栓操作レバー用カバー部材。
【請求項６】
請求項５記載の水栓操作レバー用カバー部材において、
前記第２装着部の前記挿入孔は、前記第１装着部の前記挿入部よりも幅が狭いことを特徴とする水栓操作レバー用カバー部材。
【請求項７】
請求項１〜６の何れか１項に記載の水栓操作レバー用カバー部材において、
前記フランジ部は、その左右両端部に、前記カバー本体の下側に張り出すように延びる延出部を有することを特徴とする水栓操作レバー用カバー部材。
【発明の詳細な説明】
【技術分野】
【０００１】
本発明は、洗面台や流し台に設けられた水栓の操作レバー部分に装着されるカバー部材に関し、特に、水はね防止具を設置した洗面台等に適用して好適な水栓操作レバー用カバー部材に関する。
【背景技術】
【０００２】
洗面所や台所などの洗面台や流し台（以下、適宜洗面台等と略記する）では、手洗いや洗面、水仕事等の際に、洗面ボウルなどの流しから周囲に水滴が飛び散るのを防止するため、特許文献１のような水はね防止具が提案されている。特許文献１の水はね防止具は、蛇口挿通孔が設けられた凹状の水受板を備えており、洗面台等の蛇口（水栓）に取り付けられる。当該水はね防止具は、蛇口挿通孔に蛇口を通し、水受板の下端部を流し内に収容配置する形で洗面台等に取り付けられる。洗面等によって流しの外に飛散しようとする水滴は、水受板に受け止められ下方に流れる。これにより、洗面等の際、流し周りに水滴が飛散するのを防止でき、洗面台等を清潔な状態に維持することが可能となる。
【先行技術文献】
【特許文献】
【０００３】
【特許文献１】特開２０１２−２５４２７４号公報
【特許文献２】特開２００６−１５２７５３号公報
【特許文献３】特開平８−１２０７１７号公報
【発明の概要】
【発明が解決しようとする課題】
【０００４】
ところが、このような水はね防止具を装着した場合でも、使用者が水栓を濡れた手で操作したり、飛散した水滴が水栓の操作レバーに付着したりすると、水滴が操作レバーから水栓本体の背後を伝って水栓下部に流れ落ちてしまう場合がある。このように操作レバーから水栓側に水がたれると、水栓本体に水滴が残ったり、水栓の根元から水が広がったりし、水栓自体や水栓基部、流し周りに水垢やカビが生じるおそれがある。このため、せっかく水はね防止具を設置しているにも関わらず、その効果が減殺され、期待通りの効果が得られないとの感を使用者に抱かせる可能性があり、操作レバーからの水たれに対する対策が求められていた。
【０００５】
本発明の目的は、水栓の操作レバーに付着した水滴が水栓本体側に流れ、それが水栓本体に付着したり、水栓本体を伝って基部側に流れ落ちたりすることを防止し、もって、水はね防止具に期待通りの効果を発揮させ、使用者の満足感向上を図ることにある。
【課題を解決するための手段】
【０００６】
本発明の水栓操作レバー用カバー部材は、水栓の操作レバーに装着されるカバー部材であって、前記操作レバーに該操作レバーを上方から覆うように取り付けられ、その内側部分に前記操作レバーが挿入されるレバー装着部を備えるカバー本体と、前記カバー本体の端部に設けられ、該カバー本体を前記操作レバーに取り付けたとき、該操作レバーの基部側に配置されるフランジ部と、を有することを特徴とする。
【０００７】
前記水栓操作レバー用カバー部材において、前記操作レバーが最大限持ち上げられたときも、フランジ部の先端部が基部よりも上に位置するように、該フランジ部の傾斜角θＦを前記操作レバーの最大操作角度θＬmaxよりも大きい（θＦ＞θＬmax）設定しても良い。これにより、レバー操作に伴って、当該カバー部材に付着した水滴が操作レバーの基部側に流れても、フランジ部によって行く手を遮られ、水栓本体の背後側に流れ落ちない。
【０００８】
また、前記カバー本体の上面に、当該カバー部材を前記操作レバー上に装着したとき、該カバー本体の中心部から外周部に向かって下り勾配となる斜面部を設けても良い。これにより、カバー部材上面に付着した水滴は、上面に滞留することなく、斜面部に沿って側方の外周部へと流れる。
【０００９】
さらに、前記カバー本体に、当該カバー部材を前記操作レバー上に装着するための開口部と、該開口部に隣接して配置され、当該カバー部材を前記開口部に挿入したとき、前記操作レバーの先端側に位置し、該操作レバーの先端部が挿入される挿入部と、を設けても良い。この場合、前記カバー本体に、前記開口部と前記挿入部を有する第１装着部と、前記第１装着部よりも該カバー本体の先端側に設けられ、前記操作レバーの先端部が挿入される挿入孔を備えた第２装着部と、を設けても良い。また、前記第２装着部の前記挿入孔の幅を、前記第１装着部の前記挿入部よりも狭く設定しても良い。
【００１０】
加えて、前記フランジ部の左右両端部に、前記カバー本体の下側に張り出すように延びる延出部を設けても良い。
【発明の効果】
【００１１】
本発明のカバー部材にあっては、水栓の操作レバーを上方から覆うように取り付けられ、その内側部分に操作レバーが挿入されるレバー装着部を備えるカバー本体と、カバー本体の端部に設けられ、該カバー本体を操作レバーに取り付けたとき、該操作レバーの基部側に配置されるフランジ部とを設けることにより、操作レバーに付着する水滴が水栓本体側に流れ、それが水栓を伝って洗面台等にたれてしまうのを防止することができる。従って、使用者が水栓を濡れた手で操作したり、水滴が操作レバーに飛散したりしても、水だれによって生じる水栓や流し周りの水垢やカビを抑えることが可能となる。
【図面の簡単な説明】
【００１２】
【図１】本発明の一実施形態であるレバーカバーの使用状態を示す説明図である。
【図２】レバーカバーの構成を示す説明図である。
【図３】レバーカバーの断面図であり、（ａ）は図２のＡ−Ａ線、（ｂ）は同図のＢ−Ｂ線に沿った断面図である。
【図４】短い操作レバーにレバーカバーを取り付ける場合の手順を示す説明図である。
【図５】長い操作レバーにレバーカバーを取り付ける場合の手順を示す説明図である。
【図６】フランジ部の構成を示す説明図である。
【図７】本発明によるレバーカバーを台所の流し台に設置された水栓に取り付けた様子を示した説明図である。
【発明を実施するための形態】
【００１３】
以下、本発明の実施の形態を図面に基づいて詳細に説明する。図１は、本発明の一実施形態であるレバーカバー（水栓レバー用カバー部材）１の使用状態を示す説明図である。図１に示すように、レバーカバー１は、洗面台２に設置された水栓３に取り付けられ、同じく合成樹脂にて形成された水はね防止具４や吐水管カバー５と共に使用される。水栓３はシングルレバー型の混合栓であり、洗面台２に固定された本体部１１と、本体部１１から分岐する吐水管部１２、及び、本体部１１の上部に取り付けられた操作レバー１３とを備えた構成となっている。レバーカバー１は、水栓３の操作レバー１３を上方から覆うように取り付けられる。吐水管部１２は、合成樹脂製の吐水管カバー５が装着された状態で、水はね防止具４に開口形成された水栓取付孔６に挿入される。水はね防止具４は、下端部が洗面台２の洗面ボウル７内に収容される形で取り付けられ、洗面や手洗い等の際に水滴が洗面ボウル７から外に飛散しても、水はね防止具４によって受け止められる。水はね防止具４にて受け止められた水滴は、水はね防止具４に沿って下方に流れ、洗面ボウル７内に流入し排出される。
【００１４】
図２は、レバーカバー１の構成を示す説明図、図３は、レバーカバー１の断面図であり、（ａ）は図２のＡ−Ａ線、（ｂ）は同図のＢ−Ｂ線に沿った断面図である。レバーカバー１は、厚さ１ｍｍ程度の合成樹脂にて形成されており、図２に示すように、カバー本体２１と、カバー本体２１の端部に形成されたフランジ部２２とから構成されている。カバー本体２１内には、水栓の操作レバー１３が挿入装着されるレバー装着部２３が形成されている。レバー装着部２３には、長短の操作レバー１３の何れにも適合するように、２つの装着部２３ａ,２３ｂが設けられている。装着部２３ａ（第１装着部）は幅が広く短い操作レバーに適応しており、レバーカバー１の基部側（フランジ部２２側：図中右側）に設けられている。また、装着部２３ｂ（第２装着部）は幅が狭く長い操作レバーに適応しており、レバーカバー１の先端側（図中左側）に設けられている。
【００１５】
図３に示すように、装着部２３ａには、レバーカバー１を操作レバー１３上に嵌め込むための開口部２４が形成されている。開口部２４の先端側にはさらに、操作レバー１３が挿入される嵌合挿入部２５が形成されている。短い操作レバーにレバーカバー１を取り付ける場合は、この嵌合挿入部２５が使用される。図４は、短い操作レバーにレバーカバー１を取り付ける場合の手順を示す説明図である。図４に示すように、ここではまず、操作レバー１３の上方にレバーカバー１を配し（同図（ａ））、開口部２４に操作レバー１３を嵌め込み、レバーカバー１を操作レバー１３上に取り付ける（同図（ｂ））。次に、レバーカバー１を操作レバー１３の基部側に向かって押し込み、嵌合挿入部２５内に操作レバー１３の先端部分を挿入する（同図（ｃ））。これにより、操作レバー１３の先端部分が嵌合挿入部２５内に保持され、この状態でレバーカバー１が操作レバー１３上に装着される。
【００１６】
装着部２３ｂは、装着部２３ａの奥（先端側）に形成されている。図３（ｂ）に示すように、装着部２３ｂには、嵌合挿入部２５よりも幅の狭い嵌合挿入孔２６が設けられている。長い操作レバーにレバーカバー１を取り付ける場合は、この嵌合挿入孔２６が使用される。図５は、長い操作レバーにレバーカバー１を取り付ける場合の手順を示す説明図である。図５に示すように、この場合は、開口部２４に操作レバー１３を挿入し（同図（ａ））、その後、レバーカバー１を操作レバー１３の基部側に向かって押し込み（同図（ｂ））、嵌合挿入孔２６内に操作レバー１３の先端部分を挿入する（同図（ｃ））。これにより、操作レバー１３の先端部分が装着部２３ｂ内に保持され、この状態でレバーカバー１が操作レバー１３上に装着される。
【００１７】
また、レバーカバー１では、カバー本体２１の上面２７が、中心部Ｃから外周部２７ａに向かって下り勾配となっている（図３参照）。すなわち、上面２７は、中心部Ｃを頂点としたなだらかな山型となっており、中心部Ｃから外周部２７ａに亘る斜面部２８が形成されている。また、上面２７の先端部２７ｂもまた、先端に向かって下り勾配となっている。このため、上面２７に付着した水滴は、上面２７に滞留することなく、斜面に沿って側方の外周部２７ａあるいは先端部２７ｂへと流れる。一方、上面２７に水滴が付着した状態で操作レバー１３が操作され持ち上げられると、水滴は操作レバー１３の基部側に流れる。これに対し、当該レバーカバー１には、カバー端部にフランジ部２２が設けられており、操作レバー基部側に流れ落ちた水滴はそこで止められるようになっている。図６は、フランジ部２２の構成を示す説明図である。
【００１８】
図６（ａ）に示すように、フランジ部２２の傾斜角θＦ（カバー本体２１に対する立ち上がり角度）は、操作レバー１３の最大操作角度θＬmaxよりも大きくなっている（θＦ＞θＬmax）。フランジ部２２の傾斜角度をこのような関係に設定すると、操作レバー１３を持ち上げたとき、フランジ部２２が必ず水平よりも上に傾いた状態となる。つまり、図６（ｂ）に示すように、操作レバー１３を最大限持ち上げても、フランジ部２２の先端部２２ａが基部２２ｂよりも上に位置する形となり、フランジ部２２は、先端部２２ａに向かって常に上り斜面を形成する。従って、レバー操作に伴って、上面２７に付着した水滴が操作レバー１３の基部側に流れ落ちても、フランジ部２２に妨げられ、上面２７の傾斜に沿って外周部２７ａへと流れる。その際、フランジ部２２の左右両端部には、図２に示すように、カバー本体２１の下に張り出す形で延びる延出部２９が形成されており、フランジ部２２に沿って外周部２７ａ側に流れた水滴は、この延出部２９に集約されて滴下する。そして、延出部２９から流れ落ちた水滴は、吐水管カバー５上や洗面ボウル７内に流れ落ちる。
【００１９】
このように、水栓３に本発明によるレバーカバー１を取り付けると、レバーカバー１に付着した水滴は、レバーカバー１の外周部２７ａや先端部２７ｂから洗面ボウル７内に流れ落ちる。また、上面２７に水滴が付着した状態で操作レバー１３を持ち上げても、レバー基部側に流れ落ちた水滴はフランジ部２２に当たり、上面２７の傾斜に沿って外周部２７ａへと流れる。すなわち、操作レバー１３（レバーカバー１）に付着した水滴は、水栓３の本体部１１の背後側に回ることなく、洗面ボウル７内に流れ落ちる。このため、操作レバー１３上の水滴が水栓本体側に流れ、それが水栓３を伝って洗面台２までたれてしまうのが抑えられ、水栓本体に水滴が残ったり、水栓の根元から水が広がったりすることを防止することが可能となる。従って、使用者が水栓３を濡れた手で操作したり、水滴が操作レバー１３に飛散したりしても、水だれによって生じる水栓や流し周りの水垢やカビを抑えることができる。このため、水垢や汚れなどが水栓基部に付きにくくなり、水はね防止具に対する使用満足度もより向上する。
【００２０】
本発明は前記実施形態に限定されるものではなく、その要旨を逸脱しない範囲で種々変更可能であることは言うまでもない。
例えば、前述の実施形態では、レバーカバー１を操作レバー１３に固定する構成として２つの装着部２３ａ,２３ｂを設けたものを示したが、長短レバー兼用の構成とはせず、何れか一方の装着部を備えた長・短各専用のカバーとしても良い。また、装着部２３ａ,２３ｂの構成も前述の形態には限定されず、例えば、開口部２４のないものなど、適宜変更可能である。さらに、レバーカバー１の素材も硬質の合成樹脂のみならず、シリコンゴムなどの軟質の合成樹脂も使用可能であり、その場合には、素材の弾性を活かして、筒状のレバーカバー１を操作レバー１３にフィットさせるような形態も採用し得る。加えて、水はね防止具４や吐水管カバー５の形状は、図示したものには限られず、洗面台や流し台の形状に応じて適宜変更可能であり、レバーカバー１が装着される水栓３や操作レバー１３の形状も前述のものには限定されない。
【００２１】
一方、前述の実施形態では、洗面台２の水栓３にレバーカバー１を装着した例を示したが、本発明によるレバーカバーは、図７に示すように、台所の流し台に設置された水栓３１に取り付けることも可能である（レバーカバー３２）。なお、図７に示したレバーカバー３２は、短い操作レバーに適合した形態となっており、カバー本体２１内には装着部２３ａのみが設けられている。また、カバー本体２１端部の延出部２９も省かれた形態となっている。
【符号の説明】
【００２２】
１    レバーカバー
２    洗面台
３    水栓
４    水はね防止具
５    吐水管カバー
６    水栓取付孔
７    洗面ボウル
１１    本体部
１２    吐水管部
１３    操作レバー
２１    カバー本体
２２    フランジ部
２２ａ  先端部
２２ｂ  基部
２３    レバー装着部
２３ａ  装着部（第１装着部）
２３ｂ  装着部（第２装着部）
２４    開口部
２５    嵌合挿入部
２６    嵌合挿入孔
２７    上面
２７ａ  外周部
２７ｂ  先端部
２８    斜面部
２９    延出部
３１    水栓
３２    レバーカバー
Ｃ      中心部
θＦ    傾斜角
θＬmax    最大操作角度
【図１】
2015113620.tif 000003
【図２】
2015113620.tif 000004
【図３】
2015113620.tif 000005
【図４】
2015113620.tif 000006
【図５】
2015113620.tif 000007
【図６】
2015113620.tif 000008
【図７】
2015113620.tif 000009